(57)【特許請求の範囲】
【請求項１】
離型層（剥離層）、接着層（粘着層）および本体層からなる積層体であって、直角三角形（斜辺両端の頂角の一方又は双方が直角を挟む辺に対して平行裁断された変形体を含む。）の袋形成部と、該袋形成部の斜辺を除く周囲に形成される糊代部とからなる袋形成ピースを１個又は複数個備え、前記糊代部のみ離型層を剥がし可能とされている袋形成シールにおいて、
前記袋形成部の前記斜辺の内側に沿って表側から折れ癖付け線が付加されている、
ことを特徴とする袋形成シール。
【請求項２】
前記袋形成部の直角三角形の直角を挟む一辺側又は両辺側において、前記糊代部を前記袋形成部側へ１箇所又は複数個所で部分突出させて物品保持補助部が形成されている、ことを特徴とする請求項１記載の袋形成シール。
【請求項３】
前記積層体が四角形であって、前記保持補助部が前記袋形成部の直角三角形の直角を挟み使用時に袋底側となる一辺側に形成されていることを特徴とする請求項１記載の袋形成シール。
【請求項４】
離型層、接着層および本体層からなる四角形の積層体であって、該四角形の積層体の裏面側から前記離型層のみ切断された四角形の裏側刻設線が形成されるとともに、該裏側刻設線の外側に前記本体層および接着層のみ切断された四角形の表側刻設線が形成され、さらに、前記表側刻設線の四角形を平面斜め方向で貫通切断するピース分断線が形成されて一対の前記袋形成ピースを備え、
前記ピース分断線が、裏側刻設線の四角形における一方の対辺を延長させて構成される扁平化四角形の対角線とされていることを特徴とする請求項３記載の袋形成シール。
【請求項５】
前記表側刻設線の四角形の外側が離型層のみで形成されている保持枠であるとともに、前記ピース分断線の両端部の表側刻設線と前記裏側刻設線との間の離型層が切断残しとされていることを特徴とする請求項４記載の袋形成シール。
【請求項６】
請求項４記載の袋形成シールを製造する方法であって、
積層原反を繰り出して、裏側刻設線形成工程、ピース分断線形成工程、表側刻設線形成工程及び巻き取りによる不要部除去工程を経て製造することを特徴とする袋形成シールの製造方法。
【請求項７】
請求項５記載の袋形成シールを製造する方法であって、
積層原反を繰り出して、裏側刻設線形成工程、ピース分断線形成工程、表側刻設線形成工程及び巻き取りによる不要部除去工程を経て製造するに際して、
前記ピース分断線形成工程において、前記裏側刻設線の四角形内で、ピース分断線用の斜め切断刃に沿って離型層の厚みに略等しい厚みのスペーサを配して行なうことを特徴とする袋形成シールの製造方法。
【発明の詳細な説明】
【技術分野】
【０００１】
本発明は、平滑面の所要部位に貼着して、板状小物を差し込み可能な袋（ポケット)を、簡易に形成可能な袋形成シールに関する。
【０００２】
特に、箱状や板状の包装容器の所要部位（例えば、コーナ）に袋を付加するのに好適な袋形成シールに関する。
【背景技術】
【０００３】
上記のような袋形成シールとしては、例えば、先行技術文献として特許文献１及び添付明細書等がある。
【０００４】
当該文献には、冠婚葬祭や各種催物における粗品ケースの表側に挨拶状や名刺等を差し込んで保持する等の目的に適した下記構成の「小物物品の保持具」(袋形成シール)が提案されている（請求の範囲、第１・２図）。なお、原文の図符号は削除してある。
【０００５】
「任意の平面形状を有して裏面に感圧接着剤を施したシート状の保持具と、該保持具の裏面全面に貼着された離型紙とから成り、
該離型紙には、前記保持具の裏面周縁部の一部をなす接着箇所に於いてのみ、前記離型紙を剥離させる為の切り離し線を設け、
前記接着箇所に於いてのみ前記離型紙を剥離した保持具を、小物物品を保持する保持部に貼着して、前記保持部と保持具との間にポケット状の物品収納部を形成させることを特徴とする小物物品保持具。」
【０００６】
本発明の登録性に影響を与えるものではないが、同様な技術が記載された先行技術文献として、さらに、特許文献２・３等がある。
【先行技術文献】
【特許文献】
【０００７】
【特許文献１】実開平４−３９６３号公報
【特許文献２】特開平１０−１７５６４１号公報
【特許文献３】特開２００５−８７３３１号公報
【発明の概要】
【発明が解決しようとする課題】
【０００８】
そして、上記構成の袋形成シール（小物物品の保持具）において、直角三角形状の袋形成ピースを用いて袋（物品収納部）を形成した場合、差し込んだ小物（板状小物）が脱落し易いことがわかった（特許文献１第４図等参照）。
【０００９】
そして、該直角三角形状の袋形成ピースは、包装容器のコーナ部（角部）に沿っての貼着しか予定していない。特許文献２・３も同様である。
【００１０】
なお、直角三角形状の袋形成ピースは、対として二枚同時に製作可能なため生産性が良好である（特許文献１第１図等参照）。
【００１１】
また、特許文献２では、袋の直角三角形状の隅部に近い位置にエンボス状の突起を裏面となる商品側に突出させて設置して、板状小物保持性を改善する提案がされている（請求項５参照）。
【００１２】
本発明の一つは、上記にかんがみて、直角三角形状の袋形成ピースの使用時に形成される袋の板状小物の保持性に優れた袋形成シールを提供することを第一の目的とする。
【００１３】
本発明の他の一つは、さらに、袋形成ピースの使用時に形成される袋の板状小物の差込み性に優れた袋形成シールを提供することを第二の目的とする。
【００１４】
本発明のさらに他の一つは、上記各袋形成シールにおいて、さらに、生産性良好に製造可能な形状構造を備えた袋形成シールを提供することを第三の目的とする。
【課題を解決するための手段】
【００１５】
本発明者らは、下記発明特定事項からなる袋形成シールにすれば、上記第一の目的を達成できることを知見した。
【００１６】
即ち、本発明の一つは、離型層（剥離層）、接着層（粘着層）および本体層とからなり、直角三角形の袋形成部と、該袋形成部の直角三角形の斜辺を除く周囲に形成される糊代部とからなる袋形成ピースを１個又は複数個備え、前記糊代部のみ離型層を剥がし可能とされている袋形成シールにおいて、
前記袋形成部の直角三角形の直角を挟む一辺側又は両辺側において、前記糊代部を前記袋形成部側へ１箇所又は複数個所で部分突出させて物品保持補助部が形成されていることを特徴とする。
【００１７】
上記構成とすることにより、直角三角形状の袋形成ピースの使用時に形成される袋の板状小物の保持性が向上する。即ち、袋形成シールから剥がした袋形成ピースを糊付け部を介して包装容器平面部に貼着して直角三角形の袋を形成するが、該袋に板状小物を差込み保持した場合、包装容器を傾けても脱落することがない。袋形成部の直角三角形の直角を挟む辺において糊付け部から袋内へ部分突出する物品保持補助部が存在するためである（図２参照）。
【００１８】
物品保持補助部は、１箇所でもよいが、前記直角三角形の直角を挟み使用時に袋底側となる一辺側において、元部側及び先端部側の２箇所に形成する態様とすることができる。２箇所で物品保持補助機能を担うため板状小物の袋に対する差し込み位置が多少ずれてもどちらか一方が物品補助機能を奏する。このため、板状小物の袋からの脱落が阻止される。
【００１９】
上記各構成において、前記袋形成部の直角三角形の斜辺の内側に沿って前記本体層の表側から折れ癖付け線を付すことができる。前記と同様にして袋を包装容器の外側平面部に形成した場合、袋の直角三角形の斜辺で形成される開口部の隙間が外側へ広がり、板状小物の差込み挿入性が改善され第二の目的が達成できる。
【００２０】
上記構成において、離型層、接着層および本体層からなる四角形積層体であって、該四角形積層体の裏面側から前記離型層のみ切断された四角形の裏側刻設線が形成されるとともに、該裏側刻設線の外側に前記本体層および接着層のみ切断された四角形の表側刻設線が形成され、さらに、前記表側刻設線の四角形を平面斜め方向で貫通切断するピース分断線が形成されて一対の前記袋形成ピースを備え、前記ピース分断線が、裏側刻設線の四角形における一方の対辺を延長させて構成される扁平化四角形の対角線とされている構成とすることができる。当該構成にすることにより、裏側刻設線の四角形刃に内側突出部を形成せずに先端部側の物品保持補助部を形成できて生産性良好に製造可能となり、上記第三の目的が達成できる。
【００２１】
上記各構成において、前記表側刻設線の四角形の外側が離型層のみで形成されている保持枠であるとともに、前記ピース分断線の両端部の表側刻設線と前記裏側刻設線との間の離型層が切断残しとされている構成とすることができる。当該構成とすることにより、余剰部は産業廃棄物としてまとめてリサイクル使用可能となる。また、袋形成シールが、余剰部に貼着したまま巻き取られるおそれがなく、結果として生産性が向上する。
【００２２】
上記各構成において、前記本体層、接着層および離型層のいずれも透明材で形成することができる。挨拶状や名刺等の情報媒体である板状小物を保持させた際の情報伝達性を向上させることができる。さらに、包装容器が透明材で形成されている場合、包装容器の内部視認性が向上する。
【図面の簡単な説明】
【００２３】
【図１】本発明の一実施形態を示す袋形成シールの斜視図および該斜視図のＡ−Ａ線拡大断面図（Ａ）およびＢ−Ｂ線拡大断面図（Ｂ）である（接着層を除いて断面表示省略：以下同じ）。
【図２】図１の袋形成シールから剥がした袋形成ピースを用いて箱状包装容器の外側平面部に袋を形成した使用態様斜視図および該斜視図のＡ−Ａ線拡大断面図（Ａ）である。
【図３】図１の袋形成シールの製造方法の一例を示す工程図（各工程の刻設型又は切断型の平面図を付記してある。）。
【図４Ａ】（１）、（２）はそれぞれ裏側刻設線形成工程およびピース分断線形成工程における平面図および断面図である。
【図４Ｂ】（３）、（４）はそれぞれ表側刻設線形成工程および折れ癖線付加工程における平面図および断面図である。
【図５】本発明の他の一実施形態の袋形成シールを示す平面図である。
【発明を実施するための形態】
【００２４】
以下、本発明の実施形態について説明する。
【００２５】
図１に示す如く、離型層（剥離層）ａ、接着層（粘着層）ｂおよび本体層ｃとからなり、直角三角形の袋形成部１７と、該袋形成部１７の直角三角形の斜辺を除く周囲に形成される糊代部１９とからなる袋形成ピース２０を、1個又は複数個備え、前記糊代部１９のみ離型層ａを剥がし可能とされている。
【００２６】
ここで、離型層ａは離型処理された離型紙（離型プラスチックシート）で、接着層ｂは通常感圧性接着剤で、本体層ｃはプラスチックや紙製のシートでそれぞれ形成される。プラスチックとしては、透明、非透明のいずれにも限定されない。例えば、透明材で形成する場合、ポリエステルやポリエチレン、ポリプロピレン、ポリ塩化ビニル（ＰＶＣ）等を使用可能である。
【００２７】
各層の厚みも特に限定されず、選択材料により異なるが、例えば、本体層ｃ及び離型層ａは２０〜５００μｍ、望ましくは３０〜１００μｍの範囲から適宜選択し、接着層ｂは１０〜５０μｍの範囲から適宜選択する。
【００２８】
ここで、袋形成部１７の直角三角形は図例のような直角を挟む二辺において、一方が袋形成部底辺１７ａとなる長辺と、他方が直立辺となる短辺とされているが、長辺と短辺の関係が逆でもよく、さらには、直角三角形は二等辺三角形でもよい。なお、長辺と短辺の長さ比も、意匠性や保持する板状小物Ｇの種類により異なるが、例えば、長辺／短辺＝１／１〜２／１の範囲から適宜選択する。通常、長辺／短辺≒黄金比（1.618）とすることが、意匠性および板状小物の保持性の見地から望ましい。
【００２９】
そして、本実施形態の袋形成シールＳは、離型層ａ、接着層ｂおよび本体層ｃからなる四角形積層体であって、四角形積層体の裏面側から離型層ａのみ切断された四角形の裏側刻設線Ｃ１が形成されるとともに、該裏側刻設線Ｃ１の外側に本体層ｃおよび接着層ｂのみ切断された四角形の表側刻設線Ｃ３が形成され、さらに、表側刻設線Ｃ３の四角形を平面斜め方向で分断切断するピース分断線Ｃ２が形成されて一対の袋形成ピース２０を備えたものである。そして、該袋形成ピース２０は、本実施形態では、表側刻設線Ｃ３の四角形の外側は、不要部（本体層ｃおよび接着層ｂ）２７ａが除去されて離型層ａのみからなる保持枠２７とされている。
【００３０】
ここで、上記裏側刻設線Ｃ１の四角形、表側刻設線Ｃ３の四角形、および保持枠２７の大きさは特に限定されない。
【００３１】
例えば、裏側刻設線Ｃ１の四角形を１１０×６５ｍｍとした場合、表側刻設線Ｃ３の大きさは、該裏側刻設線Ｃ１と表側刻設線Ｃ３との間に形成される糊代部対１９、１９に対応する四角環の幅が５〜１０ｍｍとなるような大きさとする。図例では幅が同一とされているが、縦横が異なっていてもよい。例えば、袋形成部１７の袋の直立辺となる側（底辺側より剥がれ易い。）の幅を太くする。
【００３２】
積層原反３１で形成される四角積層体の大きさは、保持枠２７の突出幅が長手方向で５〜１０ｍｍ、短手方向で１〜２ｍｍとなるようなものとする。短手方向の幅を小さくするのは袋形成シールＳの積層原反３１の送り方向に沿う方向を短手方向として袋形成シールＳの材料採りをした場合のロスを可及的に少なくするためである。
【００３３】
そして、上記袋形成部１７の直角三角形の直角を挟む長辺側において、糊代部１９を前記袋形成部１７側へ元部側（直角近傍側）と先端部側の２箇所で部分突出させて第一・第二物品保持補助部２９、３０が形成されている。ここで、元部側の第一物品保持補助部２９の部分突出の形状は半円状とされているが台形状や三角形状であってもよい。上記半円状とした場合の突出長（半円の半径）は、袋形成シールＳが前記寸法仕様の場合、３〜６ｍｍとする。
【００３４】
また、先端部側の第二物品保持補助部３０は、ピース分断線Ｃ２が、裏側刻設線Ｃ１の四角形の一方の対辺を延長させて構成される扁平化四角形Ｔの対角線とされて、形成されている。この構成とした場合は、裏側刻設線Ｃ１を形成する変形四角形刃３５に内側突出部３５ａを形成せずに先端部側の物品保持補助部３０を形成できる（図１・図４−Ｂ（３）参照）。
【００３５】
そして、保持枠２７は本体層ｃ、接着層ｂおよび離型層ａの三層構成とした方が袋形成シールＳの形態保持性（取り扱い性）の見地から望ましいが、本実施形態では、袋形成ピース２０の後述の製造方法における刻設不良検査のために保持枠２７の突出部上側が剥がされ離型層ａのみで形成してある。また、保持枠２７は上下のみの保持辺（連結辺）としたり、保持枠なしの袋形成ピースのみの一個採り構成としたりすることも可能である。保持枠２７を離型層ａのみで形成する場合は、図１（Ｂ）に示す如く、ピース分断線Ｃ２の両端部の表側刻設線Ｃ３と裏側刻設線Ｃ１との間では切断残しとした構成とすることが望ましい。前述の理由による。
【００３６】
次に、上記袋形成シールＳの使用態様について説明する（特に、図２参照）。
【００３７】
袋形成シールＳの保持枠２７を指で把持して袋形成ピース２０を袋形成シールＳから剥がす。すると、糊代部１９の離型層ａが剥離されて袋形成ピース２０の糊代部１９の接着層ｂが露出する。この状態の袋形成ピース２０を糊代部１９の接着層ｂを包装容器Ｐの外面平面部（コーナ部）に押し付けて貼着する。すると包装容器Ｐのコーナ部に直角三角形の袋Ｂが形成される。該袋Ｂは直角三角形であるため、板状小物が直角三角形の底辺（長辺）の長さより長くてもはみ出して差込可能である。即ち、板状小物のサイズ（例えば、葉書と葉書入り封書）に対する融通性を有し、別サイズの袋形成シールを用意する必要がない。
【００３８】
また、包装容器Ｐの形成された袋（ポケット）Ｂに板状小物を差込むに際して、開口部Ｏ側が、図例の如く、外側に開いているため板状小物Ｇの差込みを円滑に行える。そして、包装容器Ｐを傾けても差し込まれた板状小物Ｇが袋から脱落することがない。底辺の元部および先端部側に接着層ｂが露出して物品保持補助部２９が存在するためである（図２（Ａ）参照）。なお、該接着層ｂは感圧粘着層であり、板状小物を汚染することは殆どない。
【００３９】
ここで、本発明の袋形成シールは、特許文献２・３に記載の如く、慶弔用品、催物粗品用品、等の包装容器さらにはそれらのフィルムパッケージ商品に礼状、名刺等の保持袋（ポケット）を形成するばかりでなく、各種紙製・プラスチック製書類用ファイル、さらには手帳等のメモ入れのための保持袋や、工場における製品コンテナの納品カードの挿入用袋を形成する場合にも適用できるものである。
【００４０】
次に、上記袋形成シールの製造方法の一例について説明する。
【００４１】
離型層ａ、接着層ｂおよび本体層ｃからなる積層原反（既製品を使用可能）３１を繰り出しロール（図示せず）から繰り出し順送りを行ない、下記、（１）裏側刻設線形成（ハーフ抜き）工程、（２）ピース分断線形成工程、（３）表側刻設線形成（ハーフ抜き）工程、（４）折れ癖付け線付加工程、（５）不要部除去工程、および（６）裁断工程を経て製造する（図３参照）。
【００４２】
（１）裏側刻設線形成工程：
裏側刻設線Ｃ１を形成する工程である。部分的に半円状の内側突出部３５ａを２回回転対称位置に備えた変形四角形刃３５を備えた裏側刻設型３７に対して上押し型３９で積層原反３１を押圧することにより、本体層ｃ及び接着層ｂを残すように離型層ａのみを切断する（図４Ａ（１））。
【００４３】
（２）ピース分断線形成工程：
ピース分断線Ｃ２を形成する工程である。第一下受け型４１で積層原反３１を支持しながら斜め切断刃４３を備えた分断切断型４５を下降させて、本体層ｃ、接着層ｂおよび離型層ａの三層を貫通切断する（図４Ａ（２））。
【００４４】
ここで、実施形態の如く、裏側刻設線Ｃ１と表側刻設線Ｃ３との間ではピース分断線Ｃ２が離型層ａを切断しない態様とするときは、裏側刻設線Ｃ１の四角形内で、前記斜め切断刃４３に沿って離型層ａの厚みに略等しい厚みのスペーサ４４を配しておく。
【００４５】
（３）表側刻設工程：
表側刻設線Ｃ３を形成する工程である。第二下受け型４７で積層原反３１を支持しながら、四角形刃４９を備えた表側刻設型５１を下降させて、本体層ｃおよび接着層ｂを、離型層ａを残すようにして切断する（図４Ｂ（３））。
【００４６】
（４）折れ癖付け線付加工程：
折れ癖付け線Ｌを付加形成する工程である。第三下受け型５３で積層原反３１を支持しながら、一対の癖付け刃５５を備えた癖付け刃型５７を下降させて一対の折れ癖付け線Ｌ、Ｌを付加する（図４Ｂ（４））。
【００４７】
なお、上記分断切断型４５、表側刻設型５１および癖付け刃型５７は図例では分離表示してあるが、一体の連続型としてもよい。一回の型下降で三工程を同時可能となる。この場合は、癖付け刃型５７の長さは、裏側刻設線Ｃ１の四角形の対角線長さの３／５〜４／５（さらには２／３前後）とすることが望ましい。癖付け刃型５７を切断・刻設型４５、５１を同時に下降させるため癖付け刃型５７が受ける抗力が小さくなり各型の加工安定性が阻害され難い。
【００４８】
また、各刻設型３７、５１乃至分断切断型４５さらには癖付け型５７の配列順序は、上記のものが望ましいが、入れ替えも可能である。
【００４９】
（５）不要部除去工程：
保持枠２７の離型層ａを残して表側不要部２７ａを巻き取りロール５９で巻き取って除去する工程である。保持枠２７の表側刻設線Ｃ３の四角形外側における離型層ａ上側の本体層ｃを接着層ｂとともに剥がして保持枠２７を離型層ａのみとする。この不要部除去工程により袋形成シールＳの刻設不良の検査を兼ねることができる。
【００５０】
（６）裁断工程
積層原反に並列して形成された袋形成ピース２０対の間において、裁断機６０で裁断して四角形の袋形成シールＳを連続的に製造する。
【００５１】
なお、本発明の袋形成シールは、上記実施形態に限られず、各請求項に記載された範囲内において各種態様に及ぶものである。
【００５２】
例えば、図５は、上記実施形態において、ピース分断線Ｃ２を裏側刻設線Ｃ１の四角形の対角線に沿って形成したものである。そのため、先端部側の第二物品保持補助部３０は裏側刻設線Ｃ１の四角形の対角線位置の両端部近傍位置で糊代部１９を半円状に突出させて形成してある。
【００５３】
他は、前記実施形態と同様であるため、同一図符号を付して説明を省略する。
【００５４】
さらに、袋形成シールの製造方法は、前述の如く、ロール状の積層原反を繰り出して刻設等する方法に限られず、シート状の離型紙（離型層）上に接着層および本体層を順次形成し、それらをずらしながら刻設型で刻設等しても勿論製造できる。
【符号の説明】
【００５５】
１７    袋形成部
１９    糊代部
２０    袋形成ピース
２７    保持枠
２９    第一物品保持補助部
３０    第二物品保持補助部
Ｓ    袋形成シール
ａ    離型層（剥離層）
ｂ    接着層（粘着層）
ｃ    本体層
Ｃ１    裏側刻設線
Ｃ１ａ    裏側刻設線の内側突出部
Ｃ２    ピース分断線
Ｃ３    表側刻設線
Ｌ    折れ癖付け線
【図１】
0005442412.tif 000002
【図２】
0005442412.tif 000003
【図３】
0005442412.tif 000004
【図４Ａ】
0005442412.tif 000005
【図４Ｂ】
0005442412.tif 000006
【図５】
0005442412.tif 000007